(57)【要約】【課題】異物の滞留を抑制することができる清掃装置、及び現像剤の滞留を抑制することができる画像形成装置を提供する。【解決手段】画像形成装置１０は、清掃装置３００を有し、接触位置Ｐで中間転写体７０に接触し、中間転写体７０から異物を掻き取る掻取部材３２０と、接触位置Ｐに接触し、接触位置Ｐに滞留した残留トナーを除去するブラシ３３０とを有する。ブラシ３３０は、中間転写体７０の中間転写体７０の移動方向における接触位置Ｐよりも上流側の位置に接触している。掻取部材３２０は、中間転写体７０接触位置にＰにおける法線Ｌよりも中間転写体７０の移動方向における下流側に傾斜していて、ブラシ３３０は、接触位置Ｐにおいて中間転写体７０と同方向に移動する方向に回転する。【選択図】図３
2012068455.tif 000002
【特許請求の範囲】
【請求項１】
接触位置で被清掃部材に接触し、前記被清掃部材から異物を掻き落とす掻落部材と、
前記接触位置に接触し、前記接触位置に滞留した異物を除去する回転体と、
を有する清掃装置。
【請求項２】
前記回転体は、前記被清掃部材の前記被清掃部材の移動方向における前記接触位置よりも上流側の位置に接触する請求項１記載の清掃装置。
【請求項３】
前記掻落部材は、前記被清掃部材の前記接触位置における法線よりも前記被清掃部材の移動方向における下流側に傾斜していて、
前記回単体は、前記接触位置において前記被清掃部材と同方向に移動する方向に回転する請求項１又は２記載の清掃装置。
【請求項４】
前記回転体は、前記被清掃部材の前記接触位置における法線よりも前記被清掃部材の移動方向における上流側に回転軸が位置するように配置されている請求項３記載の清掃装置。
【請求項５】
前記回転体が装着される清掃装置本体をさらに有し、
前記清掃装置本体は、前記回転体の外周面が接触する接触面に、前記被清掃部材が移動する方向と交わる方向に異物を移動させる溝が形成されている請求項１乃至４いずれか記載の清掃装置。
【請求項６】
前記回転体は、前記被清掃部材が移動する方向と交わる方向の長さが、前記掻落部材よりも長い請求項１乃至５いずれか記載の清掃装置。
【請求項７】
前記掻落部材は、前記被清掃部材の重力方向上向きの面に接触している請求項１乃至６いずれか記載の清掃装置。
【請求項８】
前記被清掃部材は帯状であり
前記掻落部材は、前記被清掃部の移動方向において前記被清掃部材を駆動する駆動ロールよりも下流側に配置されている請求項１乃至７いずれか記載の清掃装置。
【請求項９】
前記回転体は、前記被清掃部材に接触する多数の毛材を有するブラシからなり、
前記多数の毛材は、前記被清掃部材が移動する方向と交わる方向に螺旋状に配置されている請求項１乃至８いずれか記載の清掃装置。
【請求項１０】
トナー像を保持する像保持体と、
接触位置で前記像保持体に接触し、前記像保持体から残留トナーを掻き落とす掻落部材と、
前記接触位置に接触し、前記接触位置に滞留した残留トナーを除去する回転体と、
を有する清掃装置。
【発明の詳細な説明】
【技術分野】
【０００１】
本発明は、清掃装置及び画像形成装置に関する。
【背景技術】
【０００２】
特許文献１には、潜像担持体上の現像剤像が転写される中間転写体と、この中間転写体上に残留する現像剤をクリーニングするクリーニング手段とを具えた画像形成装置において、クリーニング手段は、複数のクリーニングローラ及び各クリーニングローラに接触する複数のバイアスローラと、各バイアスローラ上のトナーを掻取る掻取部材と、掻取部材に掻取られた残留トナーをクリーニング外に搬送するために、各クリーニングローラ間に設けられたトナー搬送部材とを具えていることを特徴とする画像形成装置が開示されている。
【０００３】
特許文献２には、トナー担持体上に残留した廃トナーを除去する除去手段と、この除去手段により除去された廃トナーを搬送する搬送手段とを備えた画像形成装置のクリーニング装置であって、上記搬送手段は、廃トナーの搬送路中においてその搬送路の上流から下流に向かって廃トナーを搬送するスパイラルスクリューと、このスパイラルスクリューに設けられ、搬送路内において廃トナー中に混在している繊維状物の下流側への搬送を補助する繊維状の補助部材とを備えていることを特徴とする画像形成装置のクリーニング装置が開示されている。
【０００４】
特許文献３には、トナー像が形成される像担持体上の残留物を除去して回収するためのクリーニング装置であって、前記像担持体の表面を摺擦して前記残留物を除去するファーブラシと、前記ファーブラシに付着した前記残留物を掻き取る掻き落とし部材とを有し、前記ファーブラシは、前記像担持体の長手方向に沿ってスパイラル状に形成され前記像担持体の表面を摺擦するファーブラシ体を備え、前記像担持体の長手方向に延びる軸回りに前記ファーブラシ体を回転させて前記残留物を除去するとともに前記ファーブラシ体の回転に応じて前記残留物を所定の方向に搬送するようにしたことを特徴とするクリーニング装置が開示されている。
【０００５】
特許文献４には、回転軸を中心に回転する円筒状像担持体を備える電子写真印刷装置の該円筒状像担持体に対向配置される電子写真印刷装置のクリーニング装置であって、該円筒状像担持体に対向し接触して配置されるクリーニングブレードと、該クリーニングブレードよりも該円筒状像担持体の回転方向上流側の位置に、該円筒状像担持体に同軸的に対向し接触して配置され、該円筒状像担持体の周面位置において該円筒状像担持体の周面の移動方向に倣った方向に回転する円筒状のクリーニングブラシと、該クリーニングブレードと該クリーニングブラシとを内部に保持し、該円筒状像担持体の鉛直上方に配置されるハウジングとを備え、該ハウジングには、該ハウジングの内部と外部とを連通する開口部が形成され、該開口部には、該クリーニングブラシと該クリーニングブレードとが配置され、該開口部は鉛直下方に向けて開口し、該円筒状像担持体上に形成された静電潜像がトナーを含有する現像剤によって現像されてトナー像が形成され、該円筒状像担持体上の該トナー像が該円筒状像担持体から転写材に転写され、該転写後の該円筒状像担持体上に残留したトナーを該クリーニングブレードと該クリーニングブラシとで除去する電子写真印刷装置のクリーニング装置において、該クリーニングブラシの側方位置には、クリーニングブレードから略鉛直上方に向かって該クリーニングブラシの外周に略沿ってトナー搬送補助部材が設けられ、該トナー搬送補助部材と該クリーニングブラシとの間には１ｍｍ〜３ｍｍの間隙が形成されていることを特徴とする電子写真印刷装置のクリーニング装置が開示されている。
【０００６】
特許文献５には、トナー像を担持するトナー像担持体と、転写材を担持しながら移動するとともに、前記トナー像担持体に担持されたトナー像を当該転写材に転写する転写搬送ベルトと、前記転写搬送ベルトに当接して、当該転写搬送ベルトの表面に付着した付着物を拭き取るクリーニングブラシと、前記クリーニングブラシの前記転写搬送ベルトの移動方向下流側にて、前記転写搬送ベルトにカウンター当接して、当該転写搬送ベルトの表面の前記付着物を掻き取るクリーニングブレードと、前記クリーニングブレードが前記転写搬送ベルトに当接する領域に対して、前記クリーニングブラシに保持されたトナーを供給するトナー供給手段とを備えたことを特徴とする画像形成装置が開示されている。
【先行技術文献】
【特許文献】
【０００７】
【特許文献１】特開２００１−２５５７４９号公報
【特許文献２】特開２００２−９１２５３号公報
【特許文献３】特開２００４−３５４６８３号公報
【特許文献４】特開２００６−４７４４０号公報
【特許文献５】特開２００６−１１３２３５号公報
【発明の概要】
【発明が解決しようとする課題】
【０００８】
本発明は、異物の滞留を抑制することができる清掃装置、及び回収した残留トナーの滞留を抑制することができる画像形成装置を提供することを目的とする。
【課題を解決するための手段】
【０００９】
請求項１に係る本発明は、接触位置で被清掃部材に接触し、前記被清掃部材から異物を掻き取る掻取部材と、前記接触位置に接触し、前記接触位置に滞留した異物を除去する回転体と、を有する清掃装置である。
【００１０】
請求項２に係る本発明は、前記回転体は、前記被清掃部材の前記被清掃部材の移動方向における前記接触位置よりも上流側の位置に接触する請求項１記載の清掃装置である。
【００１１】
請求項３に係る本発明は、前記掻取部材は、前記被清掃部材の前記接触位置における法線よりも前記被清掃部材の移動方向における下流側に傾斜していて、前記回単体は、前記接触位置において前記被清掃部材と同方向に移動する方向に回転する請求項１又は２記載の清掃装置である。
【００１２】
請求項４に係る本発明は、前記回転体は、前記被清掃部材の前記接触位置における法線よりも前記被清掃部材の移動方向における上流側に回転軸が位置するように配置されている請求項３記載の清掃装置である。
【００１３】
請求項５に係る本発明は、前記回転体が装着される清掃装置本体をさらに有し、前記清掃装置本体は、前記回転体の外周面が接触する接触面に、前記被清掃部材が移動する方向と交わる方向に異物を移動させる溝が形成されている請求項１乃至４いずれか記載の清掃装置である。
【００１４】
請求項６に係る本発明は、前記掻取部材は、前記被清掃部材の重力方向上向きの面に接触している請求項１乃至５いずれか記載の清掃装置である。
【００１５】
請求項７に係る本発明は、前記掻取部材は、前記被清掃部材の重力方向上向きの面に接触している請求項１乃至６いずれか記載の清掃装置である。
【００１６】
請求項８に係る本発明は、前記被清掃部材は帯状であり前記掻取部材は、前記被清掃部の移動方向において前記被清掃部材を駆動する駆動ロールよりも下流側に配置されている請求項１乃至７いずれか記載の清掃装置である。
【００１７】
請求項９に係る本発明は、前記回転体は、前記被清掃部材に接触する多数の毛材を有するブラシからなり、前記多数の毛材は、前記被清掃部材が移動する方向と交わる方向に螺旋状に配置されている請求項１乃至８いずれか記載の清掃装置である。
【００１８】
請求項１０に係る本発明は、トナー像を保持する像保持体と、接触位置で前記像保持体に接触し、前記像保持体から残留トナーを掻き取る掻取部材と、前記接触位置に接触し、前記接触位置に滞留した残留トナーを除去する回転体と、を有する画像形成装置である。
【発明の効果】
【００１９】
請求項１に係る本発明によれば、異物の滞留を抑制することができる清掃装置を提供することができる。
【００２０】
請求項２に係る本発明によれば、請求項１に係る本発明が奏する効果を奏することに加えて、本構成を有しない場合と比較して、被清掃部材に残留する異物を少なくすることができる清掃装置を提供することができる。
【００２１】
請求項３に係る本発明によれば、請求項１又は２に係る本発明が奏する効果を奏することに加えて、本構成を有しない場合と比較して、異物の滞留を少なくすることができる清掃装置を提供することができる。
【００２２】
請求項４に係る本発明によれば、請求項１乃至３いずれかに係る本発明が奏する効果を奏することに加えて、本構成を有しない場合と比較して、異物の滞留を少なくすることができる清掃装置を提供することができる。
【００２３】
請求項５に係る本発明によれば、請求項１乃至４いずれかに係る本発明が奏する効果を奏することに加えて、除去された異物を、本構成を有しない場合と比較して、簡単な構成で搬送することができる清掃装置を提供することができる。
【００２４】
請求項６に係る本発明によれば、請求項１乃至５いずれかに係る本発明が奏する効果を奏することに加えて、本構成を有しない場合と比較して、被清掃部材の端部への異物の滞留を抑制することができる清掃装置を提供することができる。
【００２５】
請求項７に係る本発明によれば、請求項１乃至６いずれかに係る本発明が奏する効果を奏することに加えて、被清掃部材の下部及び側部に空間を確保することができる清掃装置を提供することができる。
【００２６】
請求項８に係る本発明によれば、請求項１乃至７に係る本発明が奏する効果を奏することに加えて、被清掃部材の移動方向における下流側に空間を確保することができる清掃装置を提供することができる。
【００２７】
請求項９に係る本発明によれば、請求項１乃至８に係る本発明が奏する効果を奏することに加えて、本構成を有しない場合と比較して、簡単な構成で除去された異物を搬送することができる清掃装置を提供することができる。
【００２８】
請求項１０に係る本発明によれば、回収した残留トナーの滞留を抑制することができる画像形成装置を提供することができる。
【図面の簡単な説明】
【００２９】
【図１】本発明の実施形態に係る画像形成装置を正面から示す断面図である。
【図２】図１に示す画像形成装置が有する像形成部を正面から示す断面図である。
【図３】図１に示す画像形成装置が有する清掃装置を正面から示す断面図である。
【図４】図３に示す中清掃装置を示す斜視図である。
【図５】図３に示す中間転写体用の清掃装置を図３における矢印Ａ−Ａ方向から示す図である。
【図６】図３に示す清掃装置が有するブラシの変形例を示す側面図である。
【発明を実施するための形態】
【００３０】
次に、本発明を実施するための形態を図面を参照して説明する。
図１には、本発明の形実施形態に係る画像形成装置１０が示されている。図１に示されるように、画像形成装置１０は、画像処理部１６と、制御部１８とを有する。画像処理部１６は、例えばパーソナルコンピュータ（ＰＣ）、図示しない画像読取装置等から送られてくる画像データに対して、必要に応じて、シェーディング補正、位置ズレ補正、明度／色空間変換、ガンマ補正、枠消し、色／移動編集等の予め定められた画像処理をする。制御部１８は、画像形成装置１０全体の動作を制御する。
【００３１】
また、画像形成装置１０は、４つの像形成部２２Ｙ、２２Ｍ、２２Ｃ、２２Ｋと、転写装置５０と、給紙装置１００と、定着装置２００と、中間転写体用の清掃装置３００とを有する。また、画像形成装置１０内には用紙の搬送に用いられる搬送路４００が形成され、画像形成装置１０の上部が、画像形成がなされた用紙が排出される排出部１２として用いられている。
【００３２】
像形成部２２Ｙ、２２Ｍ、２２Ｃ、２２Ｋは、それぞれが感光体ドラム２４Ｙ、２４Ｍ、２４Ｃ、３４Ｋを有し、それぞれがイエローのトナーを用いてイエローのトナー像を形成し、マゼンタのトナーを用いてマゼンタのトナー像を形成し、シアンのトナー像を用いてシアンのトナー像を形成し、黒のトナーを用いて黒のトナー像を形成する。像形成部２２Ｙ、２２Ｍ、２２Ｃ、２２Ｋの詳細は後述する。
【００３３】
転写装置５０は、中間転写体７０と、１次転写装置５４Ｙ、５４Ｍ、５４Ｃ、５４Ｋと、２次転写装置５８と有する。中間転写体７０は、被清掃部材として用いられているとともに、現像剤を保持する現像剤保持体として用いられている。また、中間転写体７０は、帯状であり、ベルト形状を有し、無端状であり、複数の支持ロール６２、６４に回転することができるように支持されている。また、中間転写体７０の内側には、バックアップロール３５０が設けられている。
【００３４】
複数の支持ロール６２、６４のうちの少なくとも１つは、中間転写体７０に駆動を伝達する駆動ロールとして用いられていて、図を省略する駆動伝達機構等を介して、例えばモータ等の図示を省略する駆動源からの駆動が伝達され、駆動が伝達されることにより回転して中間転写体７０を、図１に示す矢印ａ方向に回転させる。この実施形態では、支持ロール６４が駆動伝達ロールとして用いられている。
【００３５】
また、複数の支持ロール６２、６４のうちの少なくとも１つは、中間転写体７０にテンションを付与するテンションロールとして用いられていて、この実施形態では、支持ロール６４がテンションロールとして用いられている。
【００３６】
支持ロール６４が駆動伝達ロールとして用いられているため、中間転写体７０の支持ロール６２、６４よりも上側の部分７２は、支持ロール６４によって矢印ａ方向に押し出されるようにして移動する。このため、中間転写体７０の上側の部分７２は、若干、緩んだ状態となっている。また、中間転写体７０の支持ロール６２、６４よりも下側の部分７４は、支持ロール６４に引っ張られるようにして移動する。このため、中間転写体７０の下側の部分７４は、緩みが少なく、引っ張られた状態にある。
【００３７】
１次転写装置５４Ｙ、５４Ｍ、５４Ｃ、５４Ｋは、１次転写バイアスが印加される１次転写ロール５６Ｙ、５６Ｍ、５６Ｃ、５６Ｋ（図２参照）をそれぞれに有し、感光体ドラム２４Ｙ、２４Ｍ、２４Ｃ、２４Ｋの表面に形成されたトナー等からなる像を、中間転写体７０に転写する。
【００３８】
２次転写装置５８は、２次転写ロール６０を有し、中間転写体７０が保持するトナー像を用紙に転写する転写装置として用いられている。
【００３９】
定着装置２００は、用紙を加熱する加熱ロール２０２と、加熱ロール２０２に用紙を加圧する加圧ロール２０４とを有する。
【００４０】
給紙装置１００は、記録媒体として用いられる用紙を積層した状態で収納する、例えば１つの用紙収納部１０２と、用紙収納部１０２に収納された用紙を送り出す送り出しロール１０４と、用紙が重なった状態で送り出されることを防止するために用いられるリタードロール１０６とを有する。
【００４１】
搬送路４００は、主搬送路４０２と、反転搬送路４０４とを有する。主搬送路４０２は、給紙装置１００から２次転写装置５８に向けて用紙を搬送し、２次転写装置５８から排出部１２へ排出するように用紙を搬送する搬送路である。主搬送路４０２に沿って、用紙搬送方向における上流側から順に、先述の給紙装置１００、レジストロール４１０、先述の２次転写装置５８、先述の定着装置２００、及び排出ロール４１２が設けられている。
【００４２】
レジストロール４１０は、２次転写装置５８に向けて搬送される用紙の先端部の２次転写装置５８側に向けての移動を一時的に停止させ、中間転写体７０のトナー像が転写された部分が２次転写装置５８の位置に到達するタイミングに合致するように、用紙の先端部の２次転写装置５８に向けての移動を再開させる。
【００４３】
排出ロール４１２は、定着装置２００でトナー像が定着された用紙を排出部１２に向けて搬送する。また、排出ロール４１２は、用紙を排出部１２へ排出する方向と、排出部１２側から反転搬送路４０４に用紙を搬送する方向との両方向に回転することができるようになっている。
【００４４】
反転搬送路４０４は、一方の面に画像が形成された用紙を反転させるために用いられる搬送路であり、排出ロール４１２からレジストロール４１０の上流側に用紙を搬送する。反転搬送路４０４に沿って、例えば２つの反転搬送ロール４１４、４１４が設けられている。また、排出ロール４１２と定着装置２００との間には、用紙を案内する案内部材４１６が設けられている。案内部材４１６は、定着装置２００から排出ロール４１２に向けて用紙を案内する位置と、排出ロール４１２から反転搬送路４０４へ向けて用紙を案内する位置との間で移動することができるようになっている。
【００４５】
一方の面に画像が形成された用紙の他方の面に画像を形成する場合は、画像が形成された用紙の後端部に排出ロール４１２が接触した状態で排出ロール４１２が逆方向に回転し、この回転により用紙を後端側から反転搬送路４０４へと案内し、用紙をレジストロール４１０へと搬送する。
【００４６】
清掃装置３００は、中間転写体７０の表面からトナーを除去する清掃装置として用いられていて、中間転写体７０の移動方向（回転方向）において、２次転写装置５８よりも下流側であって、同方向において最も上流側にある１次転写装置５４Ｙよりも、同方向において上流側の位置に配置されている。清掃装置３００の詳細は後述する。
【００４７】
図２には、像形成部２２Ｙが示されている。像形成部２２Ｍ、像形成部２２Ｃ、像形成部２２Ｋは、用いるトナーの色が異なるものの、以下に説明をする像形成部２２Ｙと構成が同一であるため説明を省略する。
【００４８】
図２に示すように、像形成部２２Ｙは、先述の感光体ドラム２４Ｙと、帯電装置３０Ｙと、潜像形成装置３２Ｙと、現像装置３４Ｙと、感光体ドラム用の清掃装置３８Ｙと有する。帯電装置３０Ｙは、例えば帯電ロールを有し、感光体ドラム２４Ｙの表面を均一に帯電する。潜像形成装置３２Ｙとしては、ＬＥＤアレイが用いられている。潜像形成装置３２Ｙは、帯電装置３０Ｙによって均一に帯電された感光体ドラム２４Ｙの表面に光を照射することによって、感光体ドラム２４Ｙの表面に潜像を形成する。
【００４９】
現像装置３４Ｙは、現像剤保持体として用いられる現像ロール３６Ｙを有し、現像ロール３６Ｙでイエローのトナーを感光体ドラム２４Ｙに供給し、感光体ドラム２４Ｙの表面に形成された潜像をイエローのトナーによって現像する。感光体ドラム用の清掃装置３８Ｙは、例えば板状の清掃部材を有し、この清掃部材で、イエローの現像剤像が中間転写体７０に転写された後に感光体ドラム２４Ｙの表面に残留したイエローの残留トナーを掻き取るようにして、感光体ドラム２４Ｙを清掃する。
【００５０】
図３、図４、及び図５には、清掃装置３００が示されている。尚、図５においては、後述する掻取部材３２０、支持部材３１８、封止部材３６０、ブラシ３３０、及びシーリング部材３７０を取り外した状態にある清掃装置３００が示されている。
【００５１】
図３及び図４に示されるように、清掃装置３００は、先述のバックアップロール３５０と、清掃装置本体３０２と、掻取部材３２０と、封止部材３６０と、ブラシ３３０と、シーリング部材３７０とを有する。
【００５２】
封止部材３６０は、例えば可撓性を有するフィルム状の部材が用いられ、中間転写体７０の移動方向において掻取部材３２０よりも上流側に配置されていて、掻取部材３２０によって中間転写体７０の表面から掻き落とされた残留トナーが清掃装置３００の外に漏れ出さないように、清掃装置本体３０２と中間転写体７０との間に生じる隙間を封止している。
【００５３】
掻取部材３２０は、中間転写体７０から残留トナーを掻き取る掻取部材として用いられていて、例えばゴムや樹脂等の可撓性を有する材料から形成され、一端部側が例えば金属性の支持部材３１８に支持され、支持部材３１８を介して清掃装置本体３０２に装着されている。また、掻取部材３２０の他端部は、接触位置Ｐにおいて中間転写体７０に接触し、中間転写体７０を介してバックアップロール３５０に押し付けられている。
【００５４】
また、掻取部材３２０は、図３等に示すように中間転写体７０の重力方向上向きの面に接触している。また、掻取部材３２０は、中間転写体７０の移動方向において駆動ロールとして用いられる支持ロール６４（図１参照）よりも下流側に配置されている。
【００５５】
また、掻取部材３２０は、中間転写体７０の接触位置Ｐにおける法線Ｌよりも中間転写体７０の移動方向における下流側に傾斜しており、中間転写体７０に所謂カウンター方向に接触している。
【００５６】
ブラシ３３０は、接触位置Ｐに接触し、接触位置Ｐから残留トナーを除去する回転体として用いられていて、円柱形状の芯材３３２と、芯材３３２から放射状に伸びる多数の毛材３３４とを有している。また、ブラシ３３０は、清掃装置本体３０２に回転軸Ｏを中心に回転することができるように取り付けられていて、図示を省略する駆動伝達機構から駆動が伝達されることで、例えば中間転写体７０が回転するタイミングと同じタイミングで回転する。ブラシ３３０が回転する方向は、図３に矢印ｂで示す方向であり、中間転写体７０と掻取部材３２０との接触位置Ｐにおいて中間転写体７０と同方向に移動する方向である。
【００５７】
また、ブラシ３３０は、中間転写体７０と掻取部材３２０とが接触する接触位置Ｐに接触している。すなわち、ブラシ３３０の毛材３３４の先端部側が接触位置Ｐに接触している。また、ブラシ３３０は、中間転写体７０の、中間転写体７０の移動方向における接触位置Ｐよりも上流側の位置に接触している。
【００５８】
また、ブラシ３３０は、中間転写体７０の接触位置Ｐにおける法線Ｌよりも中間転写体７０の移動方向において上流側に回転軸Ｏが位置するように配置されている。また、ブラシ３３０は、図４に示されるように、長手方向の長さであり、中間転写体７０が移動する方向と交わる方向の長さが掻取部材３２０よりも長い。また、ブラシ３３０は、毛材３３４が略均一に配置されている。
【００５９】
清掃装置本体３０２には、清掃装置本体３０２内から除去した残留トナーを排出するために用いられる排出孔３０４が形成されている。また、清掃装置本体３０２には、除去した残留トナーを回収するための回収口３０６が形成されている。また、清掃装置本体３０２には、ブラシ３３０が回転することができるように装着されている。
【００６０】
また、清掃装置本体３０２は、ブラシ３３０の外周面が、すなわち、ブラシ３３０の毛材３３４の先端部が接触する接触面３０８を有する。接触面３０８は、円筒の内面の一部を切り取ったような形状をしていて、その内径がブラシ３３０の外形よりも若干小さい。また、接触面３０８には、ブラシ３３０の長手方向であり、中間転写体７０が移動する方向と交わる方向である図５に示す矢印ｃ方向に除去した残留トナーを移動させる溝３１０が形成されている。
【００６１】
また、清掃装置本体３０２には、回収口３０６の両端部側をそれぞれに覆うように、回収口３０６をシーリングするシーリング部材３７０が装着されている。シーリング部材３７０としては、例えば発泡体であるスポンジを用いられている。
【００６２】
以上のように構成された清掃装置３００においては、中間転写体７０が矢印ａ方向に回転すると、掻取部材３２０によって、中間転写体７０の表面から除去した残留トナーや、紙粉や、現像剤の外添剤が掻き取られる。掻取部材３２０が中間転写体７０の下向きの面に接触していれば、掻き取られた残留トナー等は、落下するようにして中間転写体７０の表面から離間する。これに対して、この清掃装置３００では、中間転写体７０の上向きの面で掻き取られ、接触位置Ｐに滞留する虞のある残留トナー等を、ブラシ３３０が矢印ｂ方向に回転することで除去している。
【００６３】
この際、掻取部材３２０が中間転写体７０の接触位置Ｐにおける法線Ｌよりも中間転写体７０の移動方向における下流側に傾斜しており、ブラシ３３０が回転する方向が、中間転写体７０と掻取部材３２０との接触位置Ｐにおいて中間転写体７０と同方向に移動する方向であるため、接触位置Ｐ近傍の残留トナー等が、掻取部材３２０に乗り上げるようにして、中間転写体７０の移動方向における下流側に移動する。
【００６４】
また、ブラシ３３０は、中間転写体７０の接触位置Ｐにおける法線Ｌよりも中間転写体７０の移動方向において上流側に回転軸Ｏが位置するように配置されているため、毛材３３４の先端部及び先端部側が接触位置Ｐに接触しやすい。
【００６５】
また、ブラシ３３０が回転することで、ブラシ３３０によって、中間転写体７０の、中間転写体７０の移動方向における接触位置Ｐよりも上流側の位置に付着した残留トナー等が除去される。また、ブラシ３３０は中間転写体７０が移動する方向と交わる方向の長さが掻取部材３２０よりも長く、ブラシ３３０が回転することによって、掻取部材３２０の側端部から残留トナー等が除去される。
【００６６】
また、毛材３３４が接触面３０８に擦り付けられるようにしてブラシ３３０が回転することで、接触位置Ｐから除去された残留トナー等が溝３１０に案内されるように移動する。より具体的には、清掃装置３００の前側（図３における手前側）から後ろ側（図３における奥側）へ残留トナー等が搬送されて、残留トナー等が排出孔３０４から排出される。
【００６７】
図６には、ブラシ３３０の変形例が示されている。先述の本発明の実施形態に係る清掃装置３００のラシ３３０は、多数の毛材３３４が略均一に配置されていた。これに対して、この変形例に係るブラシ３３０は、多数の毛材３３４が中間転写体７０が移動する方向と交わる方向である、ブラシ３３０の長手方向に螺旋状の配置されている。この変形例に係るブラシ３３０を用いれば、ブラシ３３０が回転することで、接触位置Ｐから除去された残留トナー等が移動し、残留トナー等が清掃装置３００の前側から後ろ側へ搬送される。
【産業上の利用可能性】
【００６８】
以上で説明をしたように、本発明は、複写機、ファクシミリ装置、プリンター等の画像形成装置と、例えばこれらの画像形成装置に用いられる清掃装置とに適用することができる。
【符号の説明】
【００６９】
１０・・・画像形成装置
２４・・・感光体ドラム
７０・・・中間転写体
３００・・・清掃装置
３０２・・・清掃装置本体
３０８・・・接触面
３１０・・・溝
３２０・・・掻取部材
３３０・・・ブラシ
３３２・・・芯材
３３４・・・毛材
Ｌ・・・法線
Ｏ・・・回転軸
Ｐ・・・接触位置
【図１】
2012068455.tif 000003
【図２】
2012068455.tif 000004
【図３】
2012068455.tif 000005
【図４】
2012068455.tif 000006
【図５】
2012068455.tif 000007
【図６】
2012068455.tif 000008